【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
無線通信を介して送信すべき情報に対して処理を施して送信する通信端末装置において、
上記送信すべき情報に対して２系統の畳み込み符号化を施して、２系統の一方を内部インタリーバによりブロック内インタリーブすることによりターボ符号化処理を施す符号化手段と、
上記符号化手段の出力を、所定のレートマッチアルゴリズムに基づいて間引く間引き手段と、
上記間引き手段の上記レートマッチアルゴリズムに基づく間引きの周期を変えるように、上記符号化手段の出力を変更する変更手段と
を備えたことを特徴とする通信端末装置。
【請求項２】
請求項１記載の通信端末装置において、
上記変更手段は、上記レートマッチアルゴリズムが特定ビット周期の間引きのとき上記符号化手段の出力がランダムになるように所定単位で変更することを特徴とする通信端末装置。
【請求項３】
請求項１記載の通信端末装置において、
上記変更手段は、上記レートマッチアルゴリズムが特定ビット周期以外の間引きのとき上記符号化手段の出力が特定ビット周期とならないように所定単位で変更することを特徴とする通信端末装置。
【請求項４】
無線通信を介して送信すべき情報に対して通信処理を施して通信端末装置により送信する通信方法において、
上記送信すべき情報に対して２系統の畳み込み符号化を施して、２系統の一方を内部インタリーバによりブロック内インタリーブすることにより符号化手段によりターボ符号化処理を施すステップと、
上記符号化手段の出力を、所定のレートマッチアルゴリズムに基づいて間引き手段により間引くステップと、
上記間引き手段の上記レートマッチアルゴリズムに基づく間引きの周期を変えるように、上記符号化手段の出力を変更手段により変更するステップと
を備えたことを特徴とする通信方法。
【請求項５】
請求項４記載の通信方法において、
上記変更手段は、上記レートマッチアルゴリズムが特定ビット周期の間引きのとき上記符号化手段の出力がランダムになるように所定単位で変更することを特徴とする通信方法。
【請求項６】
請求項４記載の通信方法において、
上記変更手段は、上記レートマッチアルゴリズムが特定ビット周期以外の間引きのとき上記符号化手段の出力が特定ビット周期とならないように所定単位で変更することを特徴とする通信方法。
【請求項７】
無線通信を介して受信される情報に対して通信処理を施して出力する通信端末装置において、
所定のレートマッチアルゴリズムに基づいて、上記受信される情報から取り出される２系統の畳み込み符号化情報に所定値を挿入する挿入手段と、
上記挿入手段からの出力を変更する変更手段と、
上記変更手段から出力される２系統の畳み込み復号化情報に対して繰り返し復号化処理をすることによりターボ復号化処理を施す復号化手段と、
を備えたことを特徴とする通信端末装置。
【請求項８】
無線通信を介して受信される情報に対して処理を施して出力する通信端末装置の受信方法において、
所定のレートマッチアルゴリズムに基づいて、上記受信される情報から取り出される２系統の畳み込み符号化情報に所定値を挿入するステップと、
上記挿入ステップからの出力を変更するステップと、
上記変更ステップから出力される２系統の畳み込み復号化情報に対して繰り返し復号化処理をすることによりターボ復号化処理を施すステップと、
を備えたことを特徴とする通信端末装置の受信方法。
【請求項９】
通信端末装置において、
無線通信を介して送信すべき情報に対して２系統の畳み込み符号化を施し、２系統の一方を内部インタリーバによりブロック内インタリーブするターボエンコーダと、
上記ターボエンコーダの出力を、所定のレートマッチアルゴリズムに基づいて間引くレートマッチ部と、
上記ターボエンコーダと上記レートマッチ部との間に挿入され、対応するレートマッチ部の間引きの周期を変えるように、上記ターボエンコーダの出力を変更するインタリーバと
を備えたことを特徴とする通信端末装置。
【請求項１０】
通信端末装置の送信方法において、
無線通信を介して送信すべき情報に対して２系統の畳み込み符号化を施すと共に、当該２系統の一方を内部インタリーバによりブロック内インタリーブしてターボ符号化処理を施し、
上記ターボ符号化処理の後に当該ターボ符号化処理の出力を変更し、
変更された上記ターボ符号化処理の出力を所定のレートマッチアルゴリズムに基づいて間引く
ことを特徴とする通信端末装置の送信方法。
【請求項１１】
通信端末装置において、
所定のレートマッチアルゴリズムに基づいて、無線通信を介して受信される情報から取り出される２系統の畳み込み符号化情報に所定値を挿入するレートマッチ部と、
上記レートマッチ部からの出力を変更するデインタリーブと、
上記デインタリーブから出力される２系統の畳み込み復号化情報に対して繰り返し復号化処理をすることによりターボ復号化処理を施すターボデコーダと、
を備えたことを特徴とする通信端末装置。
【請求項１２】
通信端末装置の受信方法において、
所定のレートマッチアルゴリズムに基づいて、無線通信を介して受信される情報から取り出される２系統の畳み込み符号化情報に所定値を挿入し、
上記所定値を挿入した後に、当該所定値が挿入された情報の並び順を変更し、
並び順が変更された上記情報に対応する２系統の畳み込み復号化情報に対して繰り返し復号化処理をすることによりターボ復号化処理を施す
ことを特徴とする通信端末装置の受信方法。
【請求項１３】
通信端末装置において、
無線通信を介して送信すべき情報に対して２系統の畳み込み符号化を施して、２系統の一方を内部インタリーバによりブロック内インタリーブすることによりターボ符号化処理を施す符号化手段と、
上記符号化手段の出力を、所定のレートマッチアルゴリズムに基づいて間引く間引き手段と、
上記間引き手段の上記レートマッチアルゴリズムに基づく間引きの周期を変えるように、上記符号化手段の出力を変更する第１の変更手段と、
無線通信を介して受信する情報から所定のレートマッチアルゴリズムに基づいて取り出される２系統の畳み込み符号化情報に所定値を挿入する挿入手段と、
上記挿入手段からの出力を変更する第２の変更手段と、
上記第２の変更手段から出力される２系統の畳み込み復号化情報に対して繰り返し復号化処理をすることによりターボ復号化処理を施す復号化手段と、
を備えたことを特徴とする通信端末装置。
【請求項１４】
通信端末装置において、
無線通信を介して送信すべき情報に対して２系統の畳み込み符号化を施し、２系統の一方を内部インタリーバによりブロック内インタリーブするターボエンコーダと、
上記ターボエンコーダの出力を、所定のレートマッチアルゴリズムに基づいて間引く第１のレートマッチ部と、
上記ターボエンコーダと上記第１のレートマッチ部との間に挿入され、対応する第１のレートマッチ部の間引きの周期を変えるように、上記ターボエンコーダの出力を変更するインタリーバと、
無線通信を介して受信する情報から所定のレートマッチアルゴリズムに基づいて取り出される２系統の畳み込み符号化情報に所定値を挿入する第２のレートマッチ部と、
上記第２のレートマッチ部からの出力を変更するデインタリーブと、
上記デインタリーブから出力される２系統の畳み込み復号化情報に対して繰り返し復号化処理をすることによりターボ復号化処理を施すターボデコーダと、
を備えたことを特徴とする通信端末装置。
【請求項１５】
通信端末装置の送受信方法において、
無線通信を介して送信すべき情報に対して２系統の畳み込み符号化を施し、当該２系統の一方を内部インタリーバによりブロック内インタリーブしてターボ符号化処理を施し、
上記ターボ符号化処理の後に当該ターボ符号化処理の出力を変更し、変更された上記ターボ符号化処理の出力を所定のレートマッチアルゴリズムに基づいて間引くと共に、
無線通信を介して受信される情報から所定のレートマッチアルゴリズムに基づいて取り出される２系統の畳み込み符号化情報に所定値を挿入し、上記所定値を挿入した後に当該所定値が挿入された情報の並び順を変更し、並び順が変更された上記情報に対応する２系統の畳み込み復号化情報に対して繰り返し復号化処理をすることによりターボ復号化処理を施す
ことを特徴とする通信端末装置の送受信方法。
【手続補正２】
【補正対象書類名】明細書
【補正対象項目名】発明の名称
【補正方法】変更
【補正の内容】
【発明の名称】通信端末装置、通信方法、通信端末装置の送信方法、通信端末装置の受信方法および通信端末装置の送受信方法
【手続補正３】
【補正対象書類名】明細書
【補正対象項目名】００１４
【補正方法】変更
【補正の内容】
【００１４】
また、本発明の通信端末装置は、所定のレートマッチアルゴリズムに基づいて、受信される情報から取り出される２系統の畳み込み符号化情報に所定値を挿入する挿入手段と、挿入手段からの出力を変更する変更手段と、変更手段から出力される２系統の畳み込み復号化情報に対して繰り返し復号化処理をすることによりターボ復号化処理を施す復号化手段と、を備えたものである。
【手続補正４】
【補正対象書類名】明細書
【補正対象項目名】００１６
【補正方法】変更
【補正の内容】
【００１６】
また、本発明の通信端末装置の受信方法は、所定のレートマッチアルゴリズムに基づいて、受信される情報から取り出される２系統の畳み込み符号化情報に所定値を挿入するステップと、挿入ステップからの出力を変更するステップと、変更ステップから出力される２系統の畳み込み復号化情報に対して繰り返し復号化処理をすることによりターボ復号化処理を施すステップと、を備えたものである。
【手続補正５】
【補正対象書類名】明細書
【補正対象項目名】００１７
【補正方法】変更
【補正の内容】
【００１７】
本発明によれば、以下の作用を奏する。
復号化手段の出力を変更する変更手段により、挿入手段のレートマッチアルゴリズムに基づく挿入の周期を変えるようにする。これにより、受信時に挿入手段のレートマッチアルゴリズムの周期が特定ビット周期にならないので、特定の復号化率においてもターボ符号の性能が劣化しないようにすることができる。
また、本発明の通信端末装置は、無線通信を介して送信すべき情報に対して２系統の畳み込み符号化を施し、２系統の一方を内部インタリーバによりブロック内インタリーブするターボエンコーダと、ターボエンコーダの出力を、所定のレートマッチアルゴリズムに基づいて間引くレートマッチ部と、ターボエンコーダとレートマッチ部との間に挿入され、対応するレートマッチ部の間引きの周期を変えるように、ターボエンコーダの出力を変更するインタリーバとを備えたものである。
また、本発明の通信端末装置の送信方法は、無線通信を介して送信すべき情報に対して２系統の畳み込み符号化を施すと共に、２系統の一方を内部インタリーバによりブロック内インタリーブしてターボ符号化処理を施し、ターボ符号化処理の後にターボ符号化処理の出力を変更し、変更されたターボ符号化処理の出力を所定のレートマッチアルゴリズムに基づいて間引くものである。
また、本発明の通信端末装置は、所定のレートマッチアルゴリズムに基づいて、無線通信を介して受信される情報から取り出される２系統の畳み込み符号化情報に所定値を挿入するレートマッチ部と、レートマッチ部からの出力を変更するデインタリーブと、デインタリーブから出力される２系統の畳み込み復号化情報に対して繰り返し復号化処理をすることによりターボ復号化処理を施すターボデコーダと、を備えたものである。
また、本発明の通信端末装置の受信方法は、所定のレートマッチアルゴリズムに基づいて、無線通信を介して受信される情報から取り出される２系統の畳み込み符号化情報に所定値を挿入し、所定値を挿入した後に、所定値が挿入された情報の並び順を変更し、並び順が変更された情報に対応する２系統の畳み込み復号化情報に対して繰り返し復号化処理をすることによりターボ復号化処理を施すものである。
また、本発明の通信端末装置は、無線通信を介して送信すべき情報に対して２系統の畳み込み符号化を施して、２系統の一方を内部インタリーバによりブロック内インタリーブすることによりターボ符号化処理を施す符号化手段と、符号化手段の出力を、所定のレートマッチアルゴリズムに基づいて間引く間引き手段と、間引き手段のレートマッチアルゴリズムに基づく間引きの周期を変えるように、符号化手段の出力を変更する第１の変更手段と、無線通信を介して受信する情報から所定のレートマッチアルゴリズムに基づいて取り出される２系統の畳み込み符号化情報に所定値を挿入する挿入手段と、挿入手段からの出力を変更する第２の変更手段と、第２の変更手段から出力される２系統の畳み込み復号化情報に対して繰り返し復号化処理をすることによりターボ復号化処理を施す復号化手段と、を備えたものである。
また、本発明の通信端末装置は、無線通信を介して送信すべき情報に対して２系統の畳み込み符号化を施し、２系統の一方を内部インタリーバによりブロック内インタリーブするターボエンコーダと、ターボエンコーダの出力を、所定のレートマッチアルゴリズムに基づいて間引く第１のレートマッチ部と、ターボエンコーダと第１のレートマッチ部との間に挿入され、対応する第１のレートマッチ部の間引きの周期を変えるように、ターボエンコーダの出力を変更するインタリーバと、無線通信を介して受信する情報から所定のレートマッチアルゴリズムに基づいて取り出される２系統の畳み込み符号化情報に所定値を挿入する第２のレートマッチ部と、第２のレートマッチ部からの出力を変更するデインタリーブと、デインタリーブから出力される２系統の畳み込み復号化情報に対して繰り返し復号化処理をすることによりターボ復号化処理を施すターボデコーダと、を備えたものである。
また、本発明の通信端末装置の送受信方法は、無線通信を介して送信すべき情報に対して２系統の畳み込み符号化を施し、２系統の一方を内部インタリーバによりブロック内インタリーブしてターボ符号化処理を施し、ターボ符号化処理の後にターボ符号化処理の出力を変更し、変更されたターボ符号化処理の出力を所定のレートマッチアルゴリズムに基づいて間引くと共に、無線通信を介して受信される情報から所定のレートマッチアルゴリズムに基づいて取り出される２系統の畳み込み符号化情報に所定値を挿入し、所定値を挿入した後に所定値が挿入された情報の並び順を変更し、並び順が変更された情報に対応する２系統の畳み込み復号化情報に対して繰り返し復号化処理をすることによりターボ復号化処理を施すものである。